(57)【要約】【課題】コネクタの小型化を図りかつ高い信頼性を持って、端子の短絡機能とハウジングの電気的な嵌合検知機能を果す。【解決手段】雄ハウジング３０には、雄端子２０同士を短絡するショート端子５０が装着される。ショート端子５０は一対の端子片５１Ｕ，５１Ｄからなり、一方に固定接点片５７が、他方にこれと弾性的に接離する可動接点片５８が設けられてスイッチ部８５が形成されるとともに、このショート端子５０を介設した嵌合検知回路が構成される。両ハウジング１０，３０が正規嵌合されると、ロック部材１１が復元変位しつつ被ロック部４０に係止してロックされるが、併せてロック部材１１が被押圧板６４を押して可動接点片５８を曲げることで、スイッチ部８５が切断される。これにより雄端子２０間の短絡が解除されるとともに、嵌合検知回路が切断されて、電気的な嵌合検知が行われる。【選択図】図９
2007258012.tif 000002
【特許請求の範囲】
【請求項１】
互いに嵌合可能な一対のハウジングを備え、
いずれか一方のハウジングには、このハウジングに収容された端子金具同士を短絡可能なショート端子が装着され、このショート端子には接続と切断とが切り替え可能なスイッチ部が設けられているとともに、このショート端子を介設した嵌合検知回路が構成され、
かつ前記両ハウジングの間には、両ハウジングが正規に嵌合された場合にロックするロック機構部が設けられ、
前記ショート端子の前記スイッチ部は常には接続状態にあり、前記両ハウジングが正規嵌合した場合に前記ロック機構部と係合して切断状態とされる構成としたことを特徴とするコネクタ。
【請求項２】
前記ロック機構部は、一方のハウジングと他方のハウジングとに、弾性変位可能なロック部材とこのロック部材に係止可能な被ロック部とが設けられ、前記両ハウジングは前記ロック部材が弾性変位して前記被ロック部を通過することを伴って嵌合され、正規嵌合されたところで前記ロック部材が復元変位して前記被ロック部に係止するとともに、前記ショート端子の前記スイッチ部と係合してこれを切断する構成としたことを特徴とする請求項１記載のコネクタ。
【請求項３】
前記ショート端子は、前記端子金具に個別に接触する接触部を有する一対の端子片を備え、一方の端子片には相手の端子片に対して接離可能な可動接点が設けられて前記スイッチ部が形成されているとともに、前記可動接点には、前記ロック機構部と係合してこの可動接点を前記相手の端子片から離間する方向に変位させる係合部が設けられていることを特徴とする請求項１または請求項２記載のコネクタ。
【発明の詳細な説明】
【技術分野】
【０００１】
本発明は、端子の短絡機能と、ハウジングの電気的な嵌合検知機能とを有するコネクタに関する。
【背景技術】
【０００２】
従来、端子の短絡機能と、ハウジングの電気的な嵌合検知機能とを備えたコネクタとして、特許文献１に記載されたものが知られている。  
このものは、雌雄一対のハウジングのうちの雌ハウジング（正確には同雌ハウジングに装着されるリテーナ）に、雌ハウジングに収容された隣り合う雌端子の間にわたって接触して短絡する第１ショート端子が装着されるとともに、雌端子が収容されない空の隣り合ったキャビティにわたって第２ショート端子が装着された構造であって、雌雄のハウジングが嵌合されると、雄ハウジング側に設けられたリブが第１ショート端子を雌端子から離間させて、雌端子同士の短絡が解除されるとともに、空のキャビティ内に相手の隣り合った雄端子が挿入されて、両雄端子間が第２ショート端子で接続され、これにより嵌合検知回路が閉じた状態となって、電気的な嵌合検知がなされるものである。
【特許文献１】特開平５−１９０２３３号公報
【発明の開示】
【発明が解決しようとする課題】
【０００３】
上記の従来手段では端的には、短絡用と嵌合検知用のショート端子が別々に設けられて異なった場所に装着されていたため、部品点数が多くまた装着スペースにも多くを要し、また両雄端子間が第２ショート端子で接続されるタイミングにはある程度の幅が出るために、より高い信頼性を持って正規嵌合の検知を行えるようにさらなる改良が切望されていた。  
本発明は上記のような事情に基づいて完成されたものであって、その目的は、部品点数を抑えかつ高い信頼性を持って、端子の短絡機能とハウジングの電気的な嵌合検知機能を果せるようにするところにある。
【課題を解決するための手段】
【０００４】
上記の目的を達成するための手段として、請求項１の発明は、互いに嵌合可能な一対のハウジングを備え、いずれか一方のハウジングには、このハウジングに収容された端子金具同士を短絡可能なショート端子が装着され、このショート端子には接続と切断とが切り替え可能なスイッチ部が設けられているとともに、このショート端子を介設した嵌合検知回路が構成され、かつ前記両ハウジングの間には、両ハウジングが正規に嵌合された場合にロックするロック機構部が設けられ、前記ショート端子の前記スイッチ部は常には接続状態にあり、前記両ハウジングが正規嵌合した場合に前記ロック機構部と係合して切断状態とされる構成としたところに特徴を有する。
【０００５】
請求項２の発明は、請求項１に記載のものにおいて、前記ロック機構部は、一方のハウジングと他方のハウジングとに、弾性変位可能なロック部材とこのロック部材に係止可能な被ロック部とが設けられ、前記両ハウジングは前記ロック部材が弾性変位して前記被ロック部を通過することを伴って嵌合され、正規嵌合されたところで前記ロック部材が復元変位して前記被ロック部に係止するとともに、前記ショート端子の前記スイッチ部と係合してこれを切断する構成としたところに特徴を有する。
【０００６】
請求項３の発明は、請求項１または請求項２に記載のものにおいて、前記ショート端子は、前記端子金具に個別に接触する接触部を有する一対の端子片を備え、一方の端子片には相手の端子片に対して接離可能な可動接点が設けられて前記スイッチ部が形成されているとともに、前記可動接点には、前記ロック機構部と係合してこの可動接点を前記相手の端子片から離間する方向に変位させる係合部が設けられているところに特徴を有する。
【発明の効果】
【０００７】
＜請求項１の発明＞
ショート端子はスイッチ部が閉じた状態で一方のハウジングに装着され、同ハウジングに収容された端子金具同士が短絡された状態にある。両ハウジングが嵌合され、正規嵌合に至るとロック機構部によって両ハウジング間がロックされるが、このロック動作に伴ってショート端子のスイッチ部が切断され、端子金具間の短絡が解除されるとともに、嵌合検知回路が切断されることで電気的な嵌合検知がなされる。  
端子の短絡機能とハウジングの電気的な嵌合検知機能とを、共通のショート端子を利用して果たせるようにしたから、ショート端子の装着スペースが少なくて済んで、ハウジングの小型化に寄与できるとともに、１種類のショート端子を製造すれば良いのであるから、製造コストの低減も図ることができる。また、両ハウジングが正規嵌合して初めて動作するロック機構部を利用して嵌合検知回路を切る構造であるから、嵌合検知を高い信頼性を持って行うことができる。
【０００８】
＜請求項２の発明＞
両ハウジングは、ロック部材が弾性変位して相手の被ロック部を通過しつつ次第に嵌合され、正規嵌合に至ると、ロック部材が復元変位して被ロック部に係止されることで両ハウジング間がロックされる。復元変位したロック部材と係合することで、ショート端子のスイッチ部が切断され、端子金具間の短絡が解除されるとともに、嵌合検知回路が切断される。  
＜請求項３の発明＞
ショート端子は、各端子片の接触部が対応する端子金具に個別に接触し、かつ一方の端子片に突設された可動接点が相手の端子片に接触しすなわちスイッチ部が接続された状態で装着され、端子金具同士が短絡状態とされる。両ハウジングが正規嵌合されてロック機構部によってロックされると、ロック機構部のロック動作に伴い係合部を介して可動接点が相手の端子片から離間し、すなわちスイッチ部が切断された状態となり、端子金具間の短絡が解除されるとともに、嵌合検知回路が切断される。
【発明を実施するための最良の形態】
【０００９】
＜実施形態＞
本発明の一実施形態を図１ないし図１１に基づいて説明する。本実施形態では、エアバッグ回路用のコネクタを例示しており、図９に示すように、互いに嵌合される雌側のコネクタハウジング１０（以下、雌ハウジング１０）と、雄側のコネクタハウジング３０（以下、雄ハウジング３０）とを備えており、雄ハウジング３０側に２組のショート端子５０が装着されている。  
以下では、各ハウジング１０，３０について、嵌合面側を前面として説明する。
【００１０】
雄ハウジング３０は合成樹脂製であって、図１，図７等に示すように、若干扁平なブロック状をなす本体部３１の前面に、横長矩形状のフード部３２が形成されており、後記するように、フード部３２内には相手の雌ハウジング１０が嵌合されるようになっている。
本体部３１内には、雄端子２０を収容するための図示４個のキャビティ３４が、前後方向を向いた姿勢で形成されている。雄端子２０は、図７に概略を示すように、縦長断面の箱状をなす本体部２１の前面からタブ２２が突設された形状であって、本体部２１の後方に設けられたバレル２３をかしめることで、電線２５の端末に接続されている。
【００１１】
上記したキャビティ３４は、図１に示すように、正面から見た左側の２個と、右側の２個とがそれぞれ同じ組をなしており、各組のキャビティ３４同士は、上下に若干ずれた位置において、左右方向に所定ピッチを開けた配置で形成されている。各キャビティ３４は、図３に示すように、やや横長の長方形断面をなし、前面には端子挿通口３５が開口されているとともに、幅方向の一側（同図の左側）にはランス３６が設けられている。  
キャビティ３４内には、電線２５の端末に接続された雄端子２０が、横倒しにされた姿勢で後方から挿入され、図７に示すように、所定位置まで挿入されたところで、ランス３６が本体部２１に開口された係止孔２４に嵌り、雄端子２０はタブ２２を端子挿通口３５からフード部３２内に突出させた状態で、抜け止めされて収容されている。
【００１２】
一方の雌ハウジング１０は、同じく合成樹脂製であって、図９に示すように、上記した雄ハウジング３０のフード部３２内に嵌合されるブロック状に形成されている。雌ハウジング１０には、図示はしないが、４個のキャビティが雄ハウジング３０のキャビティ３４と対応して形成され、各キャビティには、電線の端末に接続された雌端子が後方から挿入され、キャビティ内に設けられたランスにより抜け止めされて収容されている。
【００１３】
雌ハウジング１０の上面には、両ハウジング１０，３０を正規嵌合状態にロックするためのロック部材１１が設けられている。このロック部材１１は、図１の鎖線にも示すように、幅広の板状をなし、雌ハウジング１０の上面の後端に立設された支持部１２に基端が一体形成されて、そこから雌ハウジング１０の前端に向けて延出した片持ち状に形成され、延出端側が上下方向に弾性変位可能となっている。ロック部材１１には、幅方向の中央部において、延出端から少し入った位置から基端に開口するようにしてロック溝１３が切られており、その前端がロック面１４となっている。ロック部材１１の延出端には、前方の斜め上方を向いた操作部１６が形成されている。
【００１４】
相手の雄ハウジング３０には、ロック部材１１と係合する被ロック部４０が設けられている。詳細には、雄ハウジング３０のフード部３２の上面における後端寄りの位置には、ロック溝１３に嵌る幅を持った台座４１が形成され、台座４１の幅方向の中央部に被ロック板４３が突設されている。被ロック板４３は、台座４１の幅の約１／３の厚さを持って全長にわたって形成されており、後面側が切り立った係止面４４で、前面側が前方から後方に向けて上り勾配となったガイド面４５となっている。また、台座４１の前端面は、上り勾配の傾斜面４２となって、ガイド面４５の裾に繋がっている。
【００１５】
詳しくは後記するように、両ハウジング１０，３０が嵌合されると、ロック部材１１が弾性変位して被ロック板４３に乗り上げ、両ハウジング１０，３０が正規に嵌合されると、ロック面１４が被ロック板４３を通過することでロック部材１１が元姿勢に復元変位し、台座４１ともども被ロック板４３がロック溝１３に嵌合しつつ相手のフード部３２の上面に当てられる。結果、被ロック部４０がロック面１４に係止することで、両ハウジング１０，３０が正規嵌合状態にロックされるようになっている。  
なお、雄ハウジング３０の下面には、機器等に設けられたブラケットに差し込まれて取り付けられるカセット部４７が設けられている。
【００１６】
さて雄ハウジング３０には、２組のショート端子５０が装着されている。ショート端子５０は、図４ないし図６に示すように、一対の端子片５１Ｕ，５１Ｄが上下に重なるように配されて装着され、以下ではそれぞれ、上端子片５１Ｕと下端子片５１Ｄと称する。  
両端子片５１Ｕ，５１Ｄは、電導性に優れた金属板をプレス成形して形成されている。上端子片５１Ｕは、後端に横長の差込部５２Ｕを有し、その差込部５２Ｕの一端側（図４の上側）から接触片５３Ｕが前方に向けて延出形成されている。接触片５３Ｕは自然状態では、図５に示すように、先端に向けて次第に下り勾配となって延出されて、その延出端が斜め上向きに屈曲され、その屈曲部５４に接点部５５が下向きに打ち出して形成されている。差込部５２Ｕの他端側からは、固定接点片５７が水平姿勢で前方に向けて延出形成されている。固定接点片５７は、上記の接触片５３Ｕよりも幅広で、かつ全長が長く形成されている。
【００１７】
下端子片５１Ｄは、その後端に、上記の上端子片５１Ｕの差込部５２Ｕと同様の横長の差込部５２Ｄが設けられ、上端子片５１Ｕとは逆に、差込部５２Ｄの他端側（図４の下側）から、接触片５３Ｄが前方に向けて延出形成されている。接触片５３Ｄは、上端子片５１Ｕの接触片５３Ｕと同じように、先端に向けて次第に下り勾配となって延出されてその延出端が斜め上向きに屈曲され、その屈曲部５４に接点部５５が下向きに打ち出して形成されている。
【００１８】
差込部５２Ｄの一端側からは、可動接点片５８が前方に向けて延出形成されている。可動接点片５８は、固定接点片５７と同幅である一方、全長は若干長く形成されている。可動接点片５８は、先端に向けて緩い上り勾配に形成され、その緩傾斜部５９の先端側の上面には、接点部６０が叩き出しにより形成されている。緩傾斜部５９の先には、急傾斜部６２を介して一段高くなった水平な高位部６３が形成され、その高位部６３における正面から見た右側縁には、被押圧板６４が立ち上がり形成されている。
【００１９】
上下の端子片５１Ｕ，５１Ｄは、詳しくは後記するように、後端の差込部５２Ｕ，５２Ｄ同士を左右方向に所定寸法ずらした形態で、上下に所定間隔を開けて配され、それに伴い、両接触片５３Ｕ，５３Ｄは、同じ組の雄端子２０同士の左右方向のピッチに等しい間隔を開けて配される。また、固定接点片５７と可動接点片５８とは上下方向に整合して重なる設定となっている。  
もう一方の組のショート端子５０も、同一構造かつ同一配置を持つ。
【００２０】
雄ハウジング３０には、ショート端子５０の装着孔７０が形成されている。装着孔７０は、２組のショート端子５０に対応して、同じ構造のものが左右２箇所に形成されている。以下、正面から見た左側のものを例に挙げて説明する。  
装着孔７０は、大きく分けて、中央に接点片収容部７１、その左右両側に接触片収容部７２Ｌ，７２Ｒが形成されている。接点片収容部７１は、上端子片５１Ｕの固定接点片５７と、下端子片５１Ｄの可動接点片５８とを収容するためのものであって、フード部３２の奥面における左右のキャビティ３４の間でかつ上端位置において、両接点片５７，５８とほぼ同幅を持って前面に開口して形成されている。接点片収容部７１の上端には、図９に示すように、上端子片５１Ｕの差込部５２Ｕから固定接点片５７が緊密に挿入可能な上挿入溝７４Ｕが、本体部３１の後面の少し手前の位置にわたって水平に形成されている。
【００２１】
一方、接点片収容部７１の下端には、下端子片５１Ｄの差込部５２Ｄから可動接点片５８が挿入可能な下挿入溝７４Ｌが形成されている。この下挿入溝７４Ｌも、本体部３１の後面の少し手前の位置にわたって形成されているが、奥端部が、差込部５２Ｄを圧入可能な圧入部７５になっているとともに、その手前側は、開口の高さが次第に高くされ、手前の所定範囲では、上挿入溝７４Ｕの底面と連通している。  
また、雄ハウジング３０のフード部３２の上壁における接点片収容部７１と対応する位置には、図２に示すように、可動接点片５８とほぼ同幅をなす逃がし溝７６が、フード部３２の奥面よりも少し手前の位置から、前縁に開口して形成されている。したがって、下挿入溝７４Ｌの手前側の領域から逃がし溝７６にわたり、可動接点片５８の先端側が上下方向に弾性変位することを許容する変位許容空間７７となっている。
【００２２】
逃がし溝７６の位置はまた、上記した被ロック部４０の正面から見た左隣りに位置している。なお、被ロック部４０の正面から見た右隣りには、右側の装着孔７０に付随した逃がし溝７６がほぼ対称に形成されており、上記のようにロック部材１１が被ロック部４０に掛かったときには、ロック部材１１の左右の側縁部が各逃がし溝７６を覆うようにして、フード部３２の上面に当接するようになっている。
【００２３】
右側の接触片収容部７２Ｒは、上端子片５１Ｕの接触片５３Ｕを収容するためのものであって、フード部３２の奥面における右側のキャビティ３４の直上でかつ上端位置において、接触片５３Ｕとほぼ同幅を持って前面に開口して形成されている。この接触片収容部７２Ｒは、図７に示すように、上端の奥端部が本体部３１の後面の少し手前位置に達し、上端子片５１Ｕの差込部５２Ｕを圧入可能な圧入部８０Ｒになっているとともに、その手前の所定領域では、底面が下り勾配の傾斜面８１Ｒとされ、さらに前面に至る領域では、上側のキャビティ３４の上面に開口している。  
また、右側の接触片収容部７２Ｒと接点片収容部７１の上面同士の間には、奥の圧入部８０Ｒと、上挿入溝７４Ｕの奥部とを繋ぐ連絡溝８３Ｒが、前面に開口して形成されている。
【００２４】
左側の接触片収容部７２Ｌは、下端子片５１Ｄの接触片５３Ｄを収容するためのものであって、フード部３２の奥面における左側のキャビティ３４の直上で、かつ右側の接触片収容部７２Ｒより所定寸法下がった位置において、接触片５３Ｄとほぼ同幅を持って前面に開口して形成されている。この接点片収容部７１Ｌは、図８に示すように、同じく上端の奥部が本体部３１の後面の少し手前位置に達し、下端子片５１Ｄの差込部５２Ｄを圧入可能な圧入部８０Ｌになっているとともに、その手前の所定領域では、底面が下り勾配の傾斜面８１Ｌとされ、さらには前面に至る領域では、下側のキャビティ３４の上面に開口している。  
また、左側の接触片収容部７２Ｌの上面と、接点片収容部７１の下面との間には、それぞれの奥の圧入部８０Ｌ，７５同士を繋ぐ連絡溝８３Ｌが、前面に開口して形成されている。
【００２５】
ショート端子５０は以下のようにして装着される。まず、上端子片５１Ｕが、その差込部５２Ｕを、連絡溝８３Ｒに通して接点片収容部７１と右側の接触片収容部７２Ｒの上面に沿わせるようにして差し込まれると、差込部５２Ｕが、上挿入溝７４Ｕと連絡溝８３Ｒの奥部と圧入部８０Ｒにわたって圧入されることで抜け止めされて装着される。そのとき、接触片５３Ｕは、図７に示すように、根元側が傾斜面８１Ｒで受けられたのち、屈曲部５４が上側のキャビティ３４内に上方から突入している。  
固定接点片５７は、図９に示すように、上挿入溝７４Ｕの全長に挿入され、特に前端部の上面が、フード部３２の上壁の根元部分である受け面７９によって受けられる。
【００２６】
次に、下端子片５１Ｄが、その差込部５２Ｄを、連絡溝８３Ｌに通して接点片収容部７１の下面と、左側の接触片収容部７２Ｌの上面に沿わせるようにして差し込まれると、同様に差込部５２Ｄが、圧入部７５，８０Ｌと連絡溝８３Ｌの奥部にわたって圧入されることで、抜け止めされて装着される。そのとき、接触片５３Ｄは、図８に示すように、根元側が傾斜面８１Ｌで受けられたのち、屈曲部５４が下側のキャビティ３４内に上方から突入している。  
可動接点片５８は、図９に示すように、下挿入溝７４Ｄに挿入され、接点部６０が固定接点片５７における受け面７９で受けられた前端部に対して弾性的に接触している。それとともに、高位部６３が逃がし溝７６内に嵌り、被押圧板６４の上端が、被ロック部４０の左隣においてフード部３２の上面に突出するようになっている。
【００２７】
上記した固定接点片５７と可動接点片５８とにより、スイッチ部８５が構成されており、したがってショート端子５０、すなわち上端子片５１Ｕと下端子片５１Ｄとは、スイッチ部８５が閉じた状態で装着孔７０に装着されている。  
なお、右側の装着孔７０に対しても、同様に１組のショート端子５０、すなわち上端子片５１Ｕと下端子片５１Ｄとが、スイッチ部８５が閉じた状態で装着されている。そのとき、可動接点片５８に設けられた被押圧板６４の上端は、被ロック部４０の右隣においてフード部３２の上面に突出するようになっている。
【００２８】
このように、雄ハウジング３０に対して２組のショート端子５０が装着されたら、同雄ハウジング３０に設けられた各キャビティ３４内に、電線２５の端末に接続された対応する雄端子２０が挿入される。各雄端子２０は、対応する接触片５３Ｕ，５３Ｄを弾性変位させ、かつタブ２２を端子挿通口３５から突出させつつ押し込まれ、所定位置まで押し込まれたところで、ランス３６により抜け止めされて収容される。このとき、各雄端子２０の本体部３１の上面に、対応する接触片５３Ｕ，５３Ｄの接点部５５が弾性的に押し付けられて接触する。  
一方、ショート端子５０のスイッチ部８５は閉じているのであるから、同じ組の雄端子２０同士は、ショート端子５０を介して短絡された状態にある。
【００２９】
また、同じ組の両電線２５は、それぞれスイッチ部８５を備えたショート端子５０を介して接続された状態となり、言い換えると、２組あることによって、スイッチ部８５が介設された２本の導電路が形成される。そしてこの実施形態では、両導電路を並列接続してさらに閉ループを形成することによって、嵌合検知回路が形成されている。
【００３０】
両ハウジング１０，３０は、以下のようにして嵌合される。上記のように、ショート端子５０並びに雄端子２０が装着された雄ハウジング３０は、カセット部４７を相手のブラケットに差し込んで取り付けることによって、機器等（図示せず）に予め装着される。一方雌ハウジング１０には、電線の端末に接続された雌端子（図示せず）が収容される。この状態から、図９の矢線に示すように、雌ハウジング１０が、相手の雄ハウジング３０のフード部３２内に嵌合される。  
嵌合が進むと、図１０に示すように、ロック部材１１の前端の屈曲部１７が、被ロック部４０における台座４１の傾斜面４２から被ロック板４３のガイド面４５に当たって、同ロック部材１１が弾性変位しつつ被ロック板４３に乗り上げる。
【００３１】
雌ハウジング１０が所定量だけ押し込まれ、すなわち正規に嵌合されると、図１１に示すように、ロック溝１３の前端のロック面１４が、被ロック板４３を通過するため、ロック部材１１が復元変形しつつ、被ロック部４０がロック溝１３に嵌り、ロック面１４で係止されることによって、両ハウジング１０，３０は、対向した雄端子２０と雌端子同士が正規に接続された正規嵌合状態にロックされる。  
このロック動作時、ロック部材１１が元姿勢に復元してフード部３２の上面に当接することに伴い、同ロック部材１１の左右両端部が、左右の逃がし溝７６の上方に突出している被押圧板６４を押圧するから、同図に示すように、同被押圧板６４を設けた可動接点片５８の先端側が下方に押し曲げられ、接点部６０が固定接点片５７から離間する。
【００３２】
上記により、各組のショート端子５０においてスイッチ部８５が開いた状態となるから、対をなす雄端子２０同士の間の短絡が解除される。また、並列接続された両導電路のスイッチ部８５が開放されることになるから、嵌合検知回路が切断された状態となり、これにより雌雄のハウジング１０，３０が正規に嵌合されたことが、電気的に検知される。
【００３３】
以上説明したように本実施形態によれば、雄端子２０同士の短絡機能と、雌雄のハウジング１０，３０の電気的な嵌合検知機能とを、共通のショート端子５０を利用して果たせるようにしたから、各機能ごとに個別にショート端子を備える場合と比較すると、ショート端子５０の装着スペースが少なくて済んで、雄ハウジング３０が小型にでき、ひいてはコネクタ全体の小型化に寄与できる。また、１種類のショート端子５０を製造すれば良いのであるから、製造コストの低減も図ることができる。  
さらに、両ハウジング１０，３０が正規嵌合して初めて動作するロック部材１１の復元動作を利用して嵌合検知回路を切る構造であるから、嵌合検知を高い信頼性を持って行うことができる。その上、それぞれにスイッチ部８５を介設した２本の導電路を並列接続して嵌合検知回路が形成されているから、誤検知をより確実に防止できる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、端子金具同士の短絡箇所が２箇所ある場合を例示したが、１箇所若しくは、装着される端子金具の数によっては３箇所以上設けられてもよい。  
（２）嵌合検知を行う箇所についても、同様に１箇所のみでも、また３箇所以上であってもよい。  
（３）上記実施形態とは逆に、ショート端子を雌ハウジング側に装着するようにしてもよい。  
（４）また、ロック部材と被ロック部とは、上記実施形態とは逆のハウジング側に設けるようにしてもよい。
【図面の簡単な説明】
【００３５】
【図１】本発明の一実施形態に係る雄ハウジングの正面図
【図２】同平面図
【図３】同背面図
【図４】ショート端子の平面図
【図５】同側面図
【図６】同斜視図
【図７】図１のＸ−Ｘ線断面図
【図８】図１のＹ−Ｙ線断面図
【図９】図１のＺ−Ｚ線における雌雄のハウジングの嵌合前の断面図
【図１０】同嵌合途中の断面図
【図１１】同嵌合完了時の断面図
【符号の説明】
【００３６】
１０…雌ハウジング
１１…ロック部材（ロック機構部）
１３…ロック溝
１４…ロック面
２０…雄端子（端子金具）
３０…雄ハウジング
４０…被ロック部（ロック機構部）
５０…ショート端子
５１Ｕ，５１Ｄ…端子片
５３Ｕ，５３Ｄ…接触片（接触部）
５７…固定接点片
５８…可動接点片（可動接点）
６４…被押圧部（係合部）
７０…装着孔
８５…スイッチ部
【図１】
2007258012.tif 000003
【図２】
2007258012.tif 000004
【図３】
2007258012.tif 000005
【図４】
2007258012.tif 000006
【図５】
2007258012.tif 000007
【図６】
2007258012.tif 000008
【図７】
2007258012.tif 000009
【図８】
2007258012.tif 000010
【図９】
2007258012.tif 000011
【図１０】
2007258012.tif 000012
【図１１】
2007258012.tif 000013